(57)【要約】      （修正有）【課題】高価な検札機器の導入コストを削減できると共に，チケットの真偽を簡単に判断することが可能な電子チケットシステムを提供する。【解決手段】顔写真等の画像が付与された電子チケットを配信するシステムにおいて，その顔画像等に対してエフェクト処理を施し，そのエフェクト処理を所定時間毎に異ならせることにより，電子チケットの顔画像とエフェクト処理の規則性に基づいて，人間の視覚によっても本人認証とチケットの真偽の判断を可能とする。【選択図】図１
2014153919.tif 000002
【特許請求の範囲】
【請求項１】
クライアント端末（１）と，電子チケットを配信する管理サーバ（２）とが，電気通信回線を介して相互に接続された電子チケットシステムであって，
前記クライアント端末（１）は，
画像データを取得するための撮影手段（１１）と，
前記撮影手段（１１）により取得された画像データを，前記サーバへ送信するクライアントの送信手段（１２）と，を有し，
前記管理サーバ（２）は，
電子チケットに関する情報を記憶した電子チケットデータベース（２１）と，
画像データに対して施す複数のエフェクト処理を，所定間隔の時刻毎に対応付けて記憶したエフェクト種類データベース（２２）と，
前記クライアントの送信手段（１２）により送信された画像データを受信するサーバの受信手段（２３）と，
前記エフェクト種類データベース（２２）から，処理要求のあった時刻に応じたエフェクト処理を読み出し，前記サーバの受信手段（２３）により受信した画像データに対し，当該読み出したエフェクト処理を施すエフェクト処理手段（２４）と，
前記電子チケットデータベース（２１）から電子チケットに関する情報を読み出すと共に，前記エフェクト処理手段（２４）によりエフェクト処理が施されたエフェクト画像データを用いて，チケットデータを生成するチケット生成手段（２５）と，
前記チケット生成手段（２５）により生成されたチケットデータを，前記クライアント端末（２）に送信するサーバの送信手段（２６）と，を有し，
前記クライアント（１）は，さらに，
前記サーバの送信手段（２６）により送信された前記チケットデータを受信するクライアントの受信手段（１３）と，
前記クライアントの受信手段（１３）により受信した前記チケットデータに基づいて，前記エフェクト画像データを含む電子チケットを画像として表示する表示手段（１４）と，有する
電子チケットシステム。
【請求項２】
前記クライアント端末（１）は，
自己の現在位置に関する現在位置情報を取得するための位置情報取得手段（１５）を，さらに有し，
前記位置情報取得手段（１５）により取得された現在位置情報を，前記クライアントの送信手段（１２）を介して，前記管理サーバ（２）に送信し，
前記管理サーバ（２）は，
前記電子チケットに対応付けて当該電子チケットを利用できる利用可能位置情報を，前記電子チケットデータベース（２１）に記憶しており，
前記クライアント（１２）の送信手段（１２）により送信された前記現在位置情報を，前記サーバの受信手段（２３）によって受信したときに，前記電子チケットデータベース（２１）に記憶されている前記利用位置情報と当該現在位置情報とを照会し，当該現在位置情報が当該利用位置情報と一致する場合に，前記エフェクト処理手段（２４）に対し処理要求を送出する管理制御手段（２０）を，さらに有する
請求項１に記載の電子チケットシステム。
【請求項３】
前記クライアント端末（１）は，
自己の現在位置に関する現在位置情報を取得するための位置情報取得手段（１５）を，さらに有し，
前記位置情報取得手段（１５）により取得された現在位置情報を，前記クライアントの送信手段（１２）を介して，前記管理サーバ（２）に送信し，
前記管理サーバ（２）は，
前記電子チケットに対応付けて当該電子チケットが利用済みとなる利用済位置情報を，前記電子チケットデータベース（２１）に記憶しており，
前記電子チケットが利用済みとなった場合の利用済エフェクト処理をエフェクト種類データベース（２２）に記憶しており，
前記クライアント（１２）の送信手段（１２）により送信された前記現在位置情報を，前記サーバの受信手段（２３）によって受信したときに，前記電子チケットデータベース（２１）に記憶されている前記利用済位置情報と当該現在位置情報とを照会し，当該現在位置情報が当該利用位置情報と一致する場合に，前記サーバの受信手段（２３）により受信した画像データに対し前記利用済エフェクト処理を施すように，前記エフェクト処理手段（２４）を制御する管理制御手段（２０）を，さらに有する
請求項１又は請求項２に記載の電子チケットシステム。
【請求項４】
認証側端末（３）を，さらに含み，
前記認証側端末（３）は，
前記エフェクト種類データベース（２２）に所定間隔の時刻毎に対応付けて記憶されている前記複数のエフェクト処理に関する画像を表示可能な認証側表示手段（３１）を有する
請求項１から請求項３のいずれかに記載の電子チケットシステム。
【請求項５】
認証側端末（３）を，さらに含み，
認証側端末（３）は，
エフェクト処理に用いられるエフェクト用画像データを取得するためのエフェクト用撮影手段（３２）と，
前記エフェクト用撮影手段（３１）により取得したエフェクト用画像データを前記管理サーバ（２）へ送信するための認証側端末の送信手段（３３）と，をさらに有し，
前記管理サーバ（２）は，
前記サーバの受信手段（２３）を介して，前記認証側端末の送信手段（３３）により送信された前記エフェクト用画像データを受信し，
前記サーバの受信手段（２３）により受信した前記エフェクト用画像データを，前記エフェクト種類データベース（２２）に記憶するとともに，
前記エフェクト処理手段（２４）によって，前記サーバの受信手段（２３）により受信した画像データに対し前記エフェクト処理を施す際に，前記エフェクト種類データベース（２２）に記憶されている前記エフェクト用画像データを利用する
請求項１に記載の電子チケットシステム。
【発明の詳細な説明】
【技術分野】
【０００１】
本発明は，電子チケットシステムに関する。具体的に説明すると，本発明のシステムは，例えば利用者の顔写真が付された電子チケットを発行して，利用者の本人認証と，会場への入場管理を行うと共に，電子チケットの偽造を防止するというものである。
【背景技術】
【０００２】
一般的に，コンサート会場や映画館等へ入場する際には，利用者が印刷物であるチケットを提示し，半券とすることによって入場管理を行なっている。他方，近年では，情報通信技術の発展に伴い，コンサート会場等への入場管理のために，携帯電話機などのクライアント端末へ向けて，管理サーバから電子チケットを配信するサービスも普及してきている。このような電子チケットは，利用者にとって，クライアント端末を用いてチケットの購入手続を簡単に済ませることができるというメリットがある。また，電子チケットシステムは，チケット販売会社にとっても，印刷物のチケットを郵送したり配布したりする手間が省けるというメリットがある。
【０００３】
また，従来から，電子チケットを，印刷物のチケットと同様に人間の視覚的に認識し易いものとするために，利用者の顔写真等を付与した電子チケットを生成して，利用者が持つクライアント端末に表示させることが知られている（例えば特許文献１）。特許文献１に開示された電子チケットシステムでは，携帯端末が，利用者の生体情報を取得し，生体情報を含むチケット購入メッセージをサーバへ送信する。サーバが，生体情報から鍵を生成し，鍵を用いてチケット情報に認証画像を透かしで埋め込んで，その透かしチケット情報を端末へ送信する。また，端末が，生体情報から鍵を生成し，鍵を用いて透かしチケット情報から認証画像を検出し，生体情報及び認証画像をディスプレイに表示する。そして，端末のディスプレイに表示された認証画像を，検札装置のコード読取部に読み取らせて，電子チケットの真偽を判定する。これにより，特許文献１のシステムでは，電子チケットが，印刷物のチケットと同様に人間の視覚的に認識し易くなり，チケットの正当性だけでなく，更には個人をも認証するができるとされている。
【先行技術文献】
【特許文献】
【０００４】
【特許文献１】特開平２００７−１２２１４３号公報
【発明の概要】
【発明が解決しようとする課題】
【０００５】
しかしながら，従来の電子チケットシステムでは，利用者の入場を管理するにあたり，利用者の携帯端末が保持する電子チケットを認証するために，会場の入場口等に検札装置を設ける必要があった。この検札装置は，利用者の携帯端末のディスプレイに表示された認証画像（コード）を解析するものや，携帯端末に備えられたＩＣチップと非接触通信を行って電子チケットの正否を判断するもの等，種々の機器が存在する。このように，従来の電子チケットシステムでは，コンサート会場等の入場口に多数の検札装置を設ける必要があるが，これらの検札装置はいずれも製造や設置に高額なコストが掛かるものであった。
【０００６】
この点，高価な検札機器の導入コストを削減するために，コンサート会場の入場口等に係委員を配備し，携帯端末に表示された電子チケットの顔写真と，その携帯端末を持つ利用者の顔を一人ひとり目視で照合するという方法も考えられる。しかし，このような方法によって会場への入場管理を行った場合，チケットを購入していない者が，公知の写真編集ソフト等を利用して自己の顔写真を付与した偽造チケットを作成したとしても，そのチケットの真偽を完全に判断することは出来ない。従って，単に電子チケットに利用者の顔写真を付与しただけでは，偽造チケットが蔓延する危険があるという問題があった。
【０００７】
このため，現在では，高価な検札機器の導入コストを削減できると共に，チケットの真偽を簡単に判断することが可能な偽造防止効果を持つ電子チケットシステムが求められている。
【課題を解決するための手段】
【０００８】
そこで，本発明の発明者は，上記の従来発明の問題点を解決する手段について鋭意検討した結果，顔写真等の画像が付与された電子チケットを配信するシステムにおいて，その顔画像等に対してエフェクト処理を施し，そのエフェクト処理を所定時間毎に異ならせることにより，電子チケットの顔画像とエフェクト処理の規則性に基づいて，人間の視覚によっても本人認証とチケットの真偽の判断が可能になると共に，チケットの非購入者による電子チケットの偽造を防止できるという知見を得た。そして，本発明者は，上記知見に基づけば，従来技術の課題を解決できることに想到し，本発明を完成させた。
具体的に説明すると，本発明は以下の構成を有する。
【０００９】
本発明は，電子チケットシステムに関する。
本発明の電子チケットシステムでは，クライアント端末１と，電子チケットを配信する管理サーバ２とが，電気通信回線を介して相互に接続されている。
クライアント端末１は，
画像データを取得するための撮影手段１１と，
撮影手段１１により取得された画像データを，サーバへ送信するクライアントの送信手段１２と，を有する。
また，管理サーバ２は，
電子チケットに関する情報を記憶した電子チケットデータベース２１と，
画像データに対して施す複数のエフェクト処理を，所定間隔の時刻毎に対応付けて記憶したエフェクト種類データベース２２と，
クライアントの送信手段１２により送信された画像データを受信するサーバの受信手段２３と，
エフェクト種類データベース２２から，処理要求のあった時刻に応じたエフェクト処理を読み出し，サーバの受信手段２３により受信した画像データに対し，当該読み出したエフェクト処理を施すエフェクト処理手段２４と，
電子チケットデータベース２１から電子チケットに関する情報を読み出すと共に，エフェクト処理手段２４によりエフェクト処理が施されたエフェクト画像データを用いて，チケットデータを生成するチケット生成手段２５と，
チケット生成手段２５により生成されたチケットデータを，クライアント端末２に送信するサーバの送信手段２６と，を有する。
また，クライアント１は，さらに，
サーバの送信手段２６により送信されたチケットデータを受信するクライアントの受信手段１３と，
クライアントの受信手段１３により受信したチケットデータに基づいて，エフェクト画像データを含む電子チケットを画像として表示する表示手段１４と，有する。
【００１０】
上記構成のように，本発明の電子チケットシステムでは，顔写真等の画像が付与された電子チケットがクライアント端末の表示手段に表示される。そして，電子チケットの画像等には，所定時間毎に異なったエフェクト処理が施される。このため，利用者が，コンサート会場へ入場する際に，クライアント端末を介して管理サーバにチケットの発行要求を行うと，クライアント端末には，その発行要求が行われた時間帯に応じたエフェクト処理が自己の顔画像に施された電子チケットが配信される。このように，ある時間帯では，同一会場への入場チケットを有する複数の利用者のそれぞれに，共通したエフェクト処理が施された電子チケットが配信されるようになる。従って，会場への入場口に立つ係員等に，どの時間帯にどのようなエフェクト処理が施されるのかを知らせておくことにより，エフェクト処理の規則性に基づいて，係員等は，利用者に提示された電子チケットの真偽を判断することができる。これにより，会場の入口には，高性能な検札装置を配備する必要がなくなり，コスト削減に繋がる。さらに，電子チケットの顔画像に施されるエフェクト処理は，所定時間毎（例えば１０分毎）に刻々と変化するものである。このため，ある時間帯における電子チケットのエフェクト処理の手法を盗見し，公知の写真編集ソフト等を用いて同様なエフェクト処理を施した電子チケットを偽造したとしても，別の時間帯となれば真正な電子チケットには異なったエフェクト処理が施されるようになっている。従って，電子チケットの顔画像に施されたエフェクト処理の手法が真正なものと同一か否かを判断するだけで，人間の視覚によっても電子チケットの真偽を容易に判断でき，チケットの偽造を防止できる。
【００１１】
本発明の電子チケットシステムにおいて，
クライアント端末１は，
自己の現在位置に関する現在位置情報を取得するための位置情報取得手段１５を，さらに有し，
位置情報取得手段１５により取得された現在位置情報を，クライアントの送信手段１２を介して，管理サーバ２に送信するものであることが好ましい。
この場合に，管理サーバ２は，
電子チケットに対応付けて当該電子チケットを利用できる利用可能位置情報を，電子チケットデータベース２１に記憶しており，
クライアント１２の送信手段１２により送信された現在位置情報を，サーバの受信手段２３によって受信したときに，電子チケットデータベース２１に記憶されている利用位置情報と当該現在位置情報とを照会し，当該現在位置情報が当該利用位置情報と一致する場合に，エフェクト処理手段２４に対し処理要求を送出する管理制御手段２０を，さらに有することが好ましい。
【００１２】
上記構成を採用することにより，利用者は，例えばコンサート会場の入り口付近にいる場合にのみ，クライアント端末を介してチケット発行要求できるようになり，管理サーバがその発行要求に応じて顔画像にエフェクト処理を施した電子チケットを配信するようになる。これにより，利用者は特定の場所に居る場合にのみ，電子チケットを受け取る事ができるようになり，電子チケットの誤用を防止できる。さらに，本発明では，上述した通り，一定時間を経過すると電子チケットの顔画像に施すべき真正なエフェクト処理が変更されるため，利用者は，電子チケットを受領してから真正なエフェクト処理が変更される前に，入場口に立つ係員等に電子チケットを提示できることが好ましい。このため，上記構成のように，電子チケットを受領できる位置を会場の入口付近に限定することで，利用者は，電子チケットを受領してから真正なエフェクト処理が変更される前に，入場口を通過できるようになり，システムの利便性が高まる。
【００１３】
本発明の電子チケットシステムにおいて，
前記クライアント端末１は，
自己の現在位置に関する現在位置情報を取得するための位置情報取得手段１５を，さらに有し，
位置情報取得手段１５により取得された現在位置情報を，クライアントの送信手段１２を介して，管理サーバ２に送信するものであることが好ましい。
この場合に，管理サーバ２は，
電子チケットに対応付けて当該電子チケットが利用済みとなる利用済位置情報を，電子チケットデータベース２１に記憶しており，
電子チケットが利用済みとなった場合の利用済エフェクト処理をエフェクト種類データベース２２に記憶しており，
クライアント１２の送信手段１２により送信された現在位置情報を，サーバの受信手段２３によって受信したときに，電子チケットデータベース２１に記憶されている利用済位置情報と当該現在位置情報とを照会し，当該現在位置情報が当該利用位置情報と一致する場合に，サーバの受信手段２３により受信した画像データに対し利用済エフェクト処理を施すように，エフェクト処理手段２４を制御する管理制御手段２０を，さらに有することが好ましい。
【００１４】
上記構成のように，利用者の位置情報に基づいて電子チケットが利用済みとなったか否かを判断し，利用済みである場合には，通常のエフェクト処理とは異なる利用済エフェクト処理を電子チケットの画像に施すことにより，会場への再入場を防止できる。すなわち，映画館等のように，電子チケットを利用する場面によっては，利用者の再入場を防止したい場合がある。この点，本発明の電子チケットシステムは，基本的に，人間の視覚によって，コストを抑えて利用者の入場管理を行うものであるため，電子チケットを提示している利用者が，再入場する者であるかどうかを判断することが難しい。そこで，利用者が電子チケットを提示して会場内へと入場した後に，利用者の位置情報に基づいて電子チケットが利用済みとなったと判定し，利用者の端末に，通常のエフェクト処理とは異なる利用済エフェクト処理を施した電子チケットを表示させる機能をシステムに組み込むことで，この機能を利用者の再入場防止機能として用いることができる。
【００１５】
本発明の電子チケットシステムは，認証側端末３を，さらに含むこととしてもよい。
そして，認証側端末３は，エフェクト種類データベース２２に所定間隔の時刻毎に対応付けて記憶されている複数のエフェクト処理に関する画像を表示可能な認証側表示手段３１を有することが好ましい。
【００１６】
上記構成のような認証側端末は，例えば会場の入場口に設けられる。この認証側端末は，時間帯に応じて変更されるエフェクト処理に関する画像を表示するものである。このため，会場の入口に配置された係員等は，認証側端末に表示されたエフェクト処理に関する画像と，利用者が提示する電子チケットの顔画像に施されたエフェクト処理に共通性があるか否かを判断することで，電子チケットの真偽を容易に判断できる。このような認証側端末としては，単なるモニタ装置や，モニタを持つノート型パーソナルコンピュータなどを用いることができることから，従来の高価な改札装置と比較し，導入コストを抑えることができる。
【００１７】
本発明の電子チケットシステムにおいて，
認証側端末３は，
エフェクト処理に用いられるエフェクト用画像データを取得するためのエフェクト用撮影手段３２と，
エフェクト用撮影手段３１により取得したエフェクト用画像データを管理サーバ２へ送信するための認証側端末の送信手段３３と，をさらに有していてもよい。
この場合，管理サーバ２は，
サーバの受信手段２３を介して，認証側端末の送信手段３３により送信されたエフェクト用画像データを受信し，
サーバの受信手段２３により受信したエフェクト用画像データを，エフェクト種類データベース２２に記憶するとともに，
エフェクト処理手段２４によって，サーバの受信手段２３により受信した画像データに対しエフェクト処理を施す際に，エフェクト種類データベース２２に記憶されているエフェクト用画像データを利用することとしてもよい。
【００１８】
上記構成のように，認証側端末３により取得されたエフェクト用画像データを，例えば，電子チケットに含まれる顔画像にエフェクト処理を施す際に，顔写真の背景画像として用いることで，電子チケットの偽造防止効果をさらに高めることができる。すなわち，認証側端末からエフェクト用画像データを受け取った管理サーバは，時間帯に応じたエフェクト処理を電子チケットに施すと共に，そのエフェクト用画像データをもエフェクト処理の一部として利用する。エフェクト用画像データには，例えばコンサート会場の風景等を用いることができ，このような風景等は，コンサートの当日，実際に会場に来なければ分からないものである。このような実際に来場しなければ知りようのない画像を，電子チケットの顔画像に施すエフェクト処理の一部として利用することで，予め電子チケットの偽造を行うことが極めて困難になる。従って，上記構成によれば，電子チケットの偽造防止効果をさらに高めることができる。
【発明の効果】
【００１９】
本発明の電子チケットシステムによれば，高価な検札機器の導入コストを削減できると共に，チケットの真偽を簡単に判断することができる。
【図面の簡単な説明】
【００２０】
【図１】図１は，本発明の電子チケットシステムのハードウェア構成の概要を示したブロック図である。
【図２】図２は，電子チケットシステムの機能構成を示したブロック図である。
【図３】図３は，電子チケットのデータ構成の例を概念的に示したものである。
【図４】図４は，タイムテーブルのデータ構成の例を概念的に示したものである。
【図５】図５は，本発明の電子チケットシステムにより実行される処理を示したフロー図である。
【図６】図６は，本発明により生成される電子チケットの実施例を示している。
【発明を実施するための形態】
【００２１】
以下，図面を用いて本発明を実施するための形態について説明する。本発明は，以下に説明する形態に限定されるものではなく，以下の形態から当業者が自明な範囲で適宜修正したものも含む。
【００２２】
（１．電子チケットシステムの概要）
図１は，本発明に係る電子チケットシステム１００のハードウェア構成の概要を示した図である。まず，図１を参酌して，電子チケットシステム１００の概要を説明する。
図１に示されるように，本発明の電子チケットシステム１００には，基本的に，クライアント端末１と，管理サーバ２が含まれる。通常，電子チケットシステム１００には，クライアント端末１が複数含まれる。複数のクライアント端末１と管理サーバ２は，インターネットのような電気通信回線を通じて，相互に情報の授受が可能なように接続されている。管理サーバ２は，電子チケットの生成，配信，及び管理を行うための機能を持つ。管理サーバ２によって配信された電子チケットは，各クライアント端末１によって受信可能である。これにより，クライアント端末１を保有する利用者は，電子チケットの内容に応じて，所定のサービスの提供を受けることができるようになっている。クライアント端末１の例は，携帯電話機や，ノート型パーソナルコンピュータや，タブレット型パーソナルコンピュータである。また，管理サーバ２は，一のサーバ装置によって構築されたものに限られず，複数台のサーバ装置を用いて構築されたものであってもよい。
【００２３】
また，図１に示されるように，本発明に係る電子チケットシステム１００には，サービス提供者用の認証側端末３が含まれるものであってもよい。例えば，認証側端末３は，コンサート会場や映画館等の入場口に設置されるものであり，通常のパーソナルコンピュータや，携帯電話機，又はタブレット型パーソナルコンピュータ等を用いることができる。認証側端末３はインターネットを介して管理サーバ２に相互接続されていることが好ましい。
【００２４】
本発明の電子チケットシステム１００を利用して，所望のコンサート等のチケットを購入するにあたり，利用者は，クライアント端末１に搭載されたカメラによって，自己の顔写真を撮影する。撮影された顔写真はカメラによって顔画像データに変換される。利用者は，所望のチケットの購入情報や，自己の個人情報等をクライアント端末１に入力し，これらの情報を撮影した顔画像データと共に，管理サーバ２へと送信する。
【００２５】
管理サーバ２は，クライアント端末１から送信された情報や顔画像データを取得すると，それらの情報を各データベースへと記憶する。管理サーバ２は，クライアント端末１により送信されたチケットの購入情報や，利用者の個人情報，及び顔画像データ等に基づいて，チケット料金の支払いが完了したこと等を確認し，適式にチケット購入処理が完了した場合には，利用者の情報をデータベースに記憶しておく。
【００２６】
コンサート等の当日になると，利用者は，クライアント端末１を介して，管理サーバ２に対し，チケット発行の要求を送信する。チケット発行の要求を受領した管理サーバ２は，電子チケットデータの生成処理を開始する。まず，管理サーバ２は，利用者の顔画像データをデータベースから読み出す。そして，管理サーバ２は，チケット発行要求がなされた時刻に応じたエフェク処理をデータベースから読み出して，利用者の顔画像データに対して，読みだした特定のエフェクト処理を施す。ここにいうエフェクト処理とは，画像データを解析し，所定のアルゴリズムに従って，解析した画像データに対し編集を施す処理を意味する。このエフェクト処理は，所定時間毎（例えば１０分〜３０分毎）に異なるようにデータベースに記憶されている。このため，ある時間帯においては，利用者の顔画像データに対しあるエフェクト処理が施されるものの，他の時間帯においては，利用者の顔画像データに対し異なったエフェクト処理が施されるようになっている。管理サーバ２は，エフェク処理を施した顔画像データを用いて，電子チケットのデータを生成する。管理サーバ２により生成された電子チケットのデータは，利用者のクライアント端末１へと配信される。
【００２７】
管理サーバ２により配信された電子チケットは，利用者のクライアント端末１のディスプレイに画像として表示される。このとき，電子チケットには，エフェク処理が施された利用者自身の顔画像が含まれる。利用者は，電子チケットをクライアント端末１のディスプレイに表示させたまま，コンサート会場等への入場を開始する。
【００２８】
コンサート会場等の入場口付近には，係員が待機している。このとき，係員が視認できる範囲には，認証側端末３が設置されていてもよい。認証側端末３を設置する場合，そのモニタには，現在の時刻に応じたエフェクト処理に関する画像が表示されていることが好ましい。例えば，認証側端末３のモニタには，管理サーバ２が施したエフェクト処理のサンプル画像等を表示しておけばよい。なお，時間の経過に伴って，管理サーバ２により施されるエフェクト処理の種類が変更されると，認証側端末３のモニタに表示されるサンプル画像も変更される。そして，コンサート会場等の係員は，まず，入場しようとする利用者の顔と，そのクライアント端末１に表示されている顔画像とを目視で照合し，入場しようとする利用者がチケットを購入した本人であるかどうかを確認する。また，クライアント端末１に表示されている顔画像に対して施されたエフェクト処理と，認証側端末３に表示されているエフェクト処理のサンプル画像とを目視で照合し，利用者の持つ電子チケットの真偽を判断する。すなわち，クライアント端末１に表示されているエフェクト処理と，認証側端末３に表示されているエフェクト処理のサンプルに共通性があれば，そのクライアント端末１に表示されている電子チケットは，真正なものと判断できる。他方，クライアント端末１に表示されているエフェクト処理と，認証側端末３に表示されているエフェクト処理のサンプルに共通性がなければ，そのクライアント端末１に表示されている電子チケットは，偽造されたものであると判断できる。
【００２９】
このようにして，本発明の電子チケットシステム１００を持ちれば，コンサート会場等の入場口に高価な改札装置等を設置しなくても，係員を配備するだけで，電子チケットを利用する利用者の本人認証と，電子チケットの真偽の判断を簡単に行うことができる。
以上が，本発明の電子チケットシステム１００の概要である。以下では，電子チケットシステム１００の構成及び情報処理のフローについて詳しく説明する。
【００３０】
（２．電子チケットシステムのハードウェア構成）
続いて，図１を参照して，クライアント端末１のハードウェア構成について説明する。
クライアント端末１は，本発明のボイスコミュニケーションシステムに最適化されたアプリケーションプログラムをメモリに格納しており，ＣＰＵがそのプログラムに従って，各ハードウェアに各種機能を実行させる。図１に示されるように，クライアント端末１は，ＣＰＵ５０，ＣＤＭＡ通信部５１，無線通信部５２，ＧＰＳ受信部５３，カメラ５４，ディスプレイ５５，操作部５６，スピーカ５７，マイクロフォン５８，及びメモリ５９を備えている。クライアント端末１には，基本的に，公知の携帯型情報通信端末を用いることができる。
【００３１】
ＣＰＵ（Central Processing Unit）５０は，クライアント端末１に備わる上記各種装置５１〜５９と接続されており，各種装置５１〜５９を制御する機能を有する。
例えば，ＣＰＵ２９は，カメラ５４により取得された画像データ，ＧＰＳ受信部５３により取得された位置情報，操作部５６に入力された入力信号，及びメモリ５９に記憶されているＩＰアドレス等を，ＣＤＭＡ通信部５１又は近距離無線通信部５２に送出する働きをする。また，ＣＰＵ５０は，ディスプレイ５５，スピーカ５７，及びマイクロフォン５８を制御し，操作部５６に入力された入力信号に基づいて，各種画像を表示処理や，音声データの再生処理，録音された音声から音声データを生成する処理等を行う。
【００３２】
ＣＤＭＡ通信部５１は，公知のＣＤＭＡ方式（Code Division Multiple Access）で無線通信を行うための機能を有する。ＣＤＭＡ通信部５１は，ＣＤＭＡ方式で無線通信を行うための搬送波を送受信するアンテナを有しており，例えば，画像データの送受信処理，音声データの送受信処理，ＧＰＳ測位に係る時間情報や地理情報の送受信処理，ＩＰアドレスの送受信処理，及び操作部２５を介して入力された入力情報の送信処理を行うことができる。
【００３３】
無線通信部５２は，無線ＬＡＮ（Local Area Network）方式で無線通信を行うための機能を有する。無線通信部５２は，無線ＬＡＮ方式で無線通信を行うための搬送波を送受信するアンテナを有しており，上記したＣＤＭＡ通信部５２と共に，又はＣＤＭＡ通信部５２の代わりに，画像データの送受信処理，音声データの送受信処理，ＧＰＳ測位に係る時間情報や地理情報の送受信処理，ＩＰアドレスの送受信処理，及び操作部２５を介して入力された入力情報の送信処理を行うことができる。なお，クライアント端末１はＣＤＭＡ通信部５１を有していれば，無線通信部５２は必須の構成とはならない。
【００３４】
ＧＰＳ受信部５３は，ＧＰＳ測位を行う機能を持つ。具体的に説明すると，ＧＰＳ受信部５３は，複数のＧＰＳ衛星から送られた電波に含まれる電波送信時間の情報に基づき，それぞれの電波を受信するのに要した時間を測定し，その時間を示す時間情報をＣＰＵ５０に送出する。ＣＰＵ５０は，取得した時間情報に基づいて，クライアント端末２の所在位置の緯度経度に関する情報を算出することができる。
【００３５】
カメラ５４は，静止画像データを取得する機能を持つ。カメラ５４は，動画像データを取得可能なものであってもよい。カメラ５４としては，ＣＣＤ（Charge Coupled Device）イメージセンサ等で構成され画像を撮影する撮影機構を用いることができる。カメラ５４は，例えば，モータによって撮影光軸方向で移動される撮影レンズと，この撮影レンズによって結像された画像を撮像するＣＣＤと，このＣＣＤから出力されたアナログの撮像信号に各種処理を施してデジタルの画像データに変換する撮像信号処理回路を有する。カメラ５４で撮影された画像は，ＣＰＵ５０で駆動されるアプリケーションプログラムにより処理することで，ＣＤＭＡ通信部５１や無線通信部５２を介して管理サーバ２に送信したり，ディスプレイ５５に表示したり，メモリ５９に記憶したりする。
【００３６】
ディスプレイ５５は，例えばＬＣＤ（Liquid Crystal Display；液晶ディスプレイ）やＯＥＬＤ（Organic Electro Luminescence
Display；有機ＥＬディスプレイ）のような表示装置である。ディスプレイ５５は，ＣＰＵ５０からの入力信号に応じて，利用者がクライアント端末１を使用するにあたって必要となる各種情報を出力表示する。
【００３７】
操作部５６は，利用者が入力した操作を受け付けて，その入力信号をＣＰＵ５０に送出する機能を有する。操作部５６の例は，キーボード，マウス，及びテンキーである。
また，クライアント端末１には，上記ディスプレイ５５と操作部５６が一体となったタッチパネルディスプレイを採用することとしても良い。タッチパネルディスプレイには，静電容量方式，電磁誘導方式，赤外線方式，表面弾性波方式，又は抵抗膜方式などの公知の方式のものを採用できる。
【００３８】
スピーカ５７は，音声データを再生し，放音する機能を有する。マイクロフォン５８は，音声を録音するために集音する機能を有する。これらのスピーカ５７とマイクロフォン５８は，公知のものを採用できる。
【００３９】
メモリ５９は，ＲＡＭ（Random Access Memory）等の揮発性メモリや，ＲＯＭ（Read
Only Memory）等の不揮発性メモリから構成される記憶装置である。例えば，揮発性メモリの記憶領域には，ネットワーク上の識別情報であるＩＰアドレスが記憶される。一方，例えば，不揮発性メモリの記憶領域には，画像データや，音声データ，ユーザ情報，クライアント端末１の電話番号等のデータが記憶される。
【００４０】
次に，管理サーバ２のハードウェア構成について説明する。
図１に示されるように，管理サーバ２は，ＣＰＵ６０，ネットワーク通信部６１，位置情報計算部６２，画像処理部６３，及びメモリ６４を備えている。管理サーバ２は，一のコンピュータによりその機能を全て有するものに限定されず，複数のコンピュータにその機能を分担させて構築されたものであってもよい。
【００４１】
ＣＰＵ６０は，サーバ１に備わる各種装置６１〜６４と相互に接続されており，各種装置を制御する機能を有する。例えば，ＣＰＵ６０は，ネットワーク通信部６１で受信した時間情報を位置情報計算部６２に送出し，クライアント端末１の現在位置を把握する。また，ＣＰＵ６０は，ネットワーク通信部６１で受信した画像データをメモリ６３に記憶したり，メモリ６３から画像データを読み出して画像処理部６３に送出し，画像処理部６３を制御して読み出した画像データに対し所定の画像処理を施すことができる。
【００４２】
ネットワーク通信部６１は，インターネットのようなネットワークを介して移動体通信網や一般電話回線網との間でデータの送受信を行う機能を有する。具体的に説明すると，ネットワーク通信部６１は，画像データや，ＧＰＳ測位をされた位置情報やＩＰアドレスのデータのデータ送受信に係る処理を行うことができる。
【００４３】
位置情報計算部６２は，ネットワーク通信部６１を介してクライアント端末１から受信した時間情報及び，管理サーバ２のメモリ６４に記憶されているＧＰＳ衛星の位置を用いてＧＰＳ測位を行い，クライアント端末１の所在位置を算出することができる。
【００４４】
画像処理部６３は，画像処理を行うＧＰＵ（Graphics Processing Unit）等を含む情報処理手段である。ＣＰＵ６０は，所定のプログラムに従って画像処理部６３を制御し，メモリ６４に記憶されている画像データに対して，画像処理を施すことができる。なお，ＣＰＵ６０１によって実行されるプログラムは，他の機器との通信によって他の機器から取得されてもよい。例えば，本発明では，複数のエフェク処理用のプログラムが，管理サーバ２のメモリ６４に記憶されている。画像処理部６３は，エフェクト処理用のプログラムに従って，メモリ６４に記憶されている利用者の顔画像に対しエフェクト処理を施すことができる。また，画像処理部６３は，メモリ６４に記憶されている電子チケットの本体画像に対し，エフェクト処理を施した顔画像を埋め込み，電子チケットの画像データを生成することもできる。画像処理部６３は，ＣＰＵ６０からの命令に応じて種々の画像データを生成し，生成した画像データをメモリ６４に記憶する。
【００４５】
メモリ６４は，ＲＡＭのような揮発性メモリや，ＲＯＭのような不揮発性メモリを有する記憶装置である。例えば，揮発性メモリの記憶領域には，クライアント端末１から受信した画像データや，ＧＰＳ測位を行った結果であるクライアント端末１の位置情報，ネットワーク通信部６１で受信したクライアント端末１のＩＰアドレス，画像処理部６３により生成された画像データ等が，リスト化されて記憶される。また，不揮発性メモリの記憶領域に記憶されたデータは，揮発性メモリの記憶領域に記憶されるものであってもよい。
【００４６】
続いて，認証側端末３のハードウェア構成について説明する。
なお，本発明の電子チケットシステム１００において，認証側端末３は必ずしも必要となるものではない。上述の通り，認証側端末３は，コンサート会場等の入場口に配備された係員が現時刻におけるエフェクト処理の内容を参照するためのものであるから，例えば各係員にエフェクト処理のタイムテーブルを印刷した印刷物を配布すれば，認証側端末３を使用する必要がなくなる。
図１に示されるように，本発明の好ましい形態において，認証側端末３は，ＣＰＵ７０，ネットワーク通信部７１，モニタ７２，カメラ７３，及びメモリ７４を備えている。ただし，認証側端末３としては，単にモニタだけを備える装置を採用することもできる。
【００４７】
ネットワーク通信部７１は，インターネットのようなネットワークを介して移動体通信網や一般電話回線網との間でデータの送受信を行う機能を有する公知のものを採用できる。また，モニタ７２は，例えばＬＣＤやＯＥＬＤのような表示装置である。カメラ７３は，カメラ７３は，静止画像データ又は動画像データを取得可能なＣＣＤ（Charge Coupled Device）イメージセンサ等である。カメラ７３は，認証側端末３に組み込まれた装置出会ってもよいし，外部接続Ｉ／Ｆを通じて認証側端末３に接続されたデジタルカメラ等であてもよい。また，メモリ６４は，ＲＡＭのような揮発性メモリや，ＲＯＭのような不揮発性メモリを有する記憶装置である。認証側端末３は，少なくともモニタを備えればよく，例えば比較的安価なノート型パーソナルコンピュータ等を用いればよい。
【００４８】
（３．電子チケットシステムの機能構成）
続いて，図２を参照して，本発明に係る電子チケットシステムの機能構成について説明する。電子チケットシステム１００を構築する複数のクライアント端末１，管理サーバ２，及び認証側端末３は，上記したハードウェア構成を有している。複数のクライアント端末１，管理サーバ２，及び認証側端末３は，ＣＰＵによりメモリに格納されているプログラムを読み出して，所定の演算を行い当該プログラムに従って各種装置を種々の機能を実行させる。すなわち，以下に説明する機能的手段は，プログラムに従って，上記ハードウェア構成により実行されるものである。
【００４９】
図２に示されるように，クライアント端末１は，端末制御手段１０と，撮影手段１１と，送信手段１２と，受信手段１３と，表示手段１４と，位置情報取得手段１５と，を有する。
端末制御手段１０は，これらの各要素１１〜１５と相互に接続され各要素を制御するための機能を持つ。
【００５０】
クライアント端末１の撮影手段１１は，利用者の顔写真等のように，利用者本人を特定するための画像データを取得するための機能を持つ。撮影手段１１により取得された画像データは，電子チケットを生成する際に利用される。撮影手段１１により取得される画像データは，静止画像データに限られず，動画像データも含まれる。すなわち，電子チケットを生成する際には，電子チケットの本体画像に，静止画像データだけでなく，動画像データを埋め込むこともできる。撮影手段１１により取得された画像データは，クライアント端末のメモリに記憶される。
【００５１】
クライアント端末１の送信手段１２は，管理サーバ２に対して，種々の情報を送信するための機能を持つ。送信手段１２を介して管理サーバ２に送信される情報の例は，撮影手段１１により取得された画像データや，位置情報取得手段１５により取得されたクライアント端末１の現在位置情報，クライアント端末１に入力されたチケット購入情報（チケットの識別情報，及び決済カード番号等），クライアント端末１を所有するユーザ情報，クライアント端末１の個体識別情報，管理サーバ２に対するチケット発行要求等が挙げられる。
【００５２】
クライアント端末１の受信手段１３は，管理サーバ２から送信された種々の情報を受信するための機能を持つ。管理サーバ２から受信する情報の例は，チケットの販売情報（イベント名，アーティスト名，開催日時，会場，座席，及び価格等）や，管理サーバ２により生成された電子チケットのチケットデータが挙げられる。受信手段１３により取得された情報は，クライアント端末のメモリに記憶される。
【００５３】
クライアント端末１の表示手段１４は，受信手段１３により受信した電子チケットのチケットデータに基づいて，電子チケットを画像として表示する機能を持つ。具体的に説明すると，本発明の電子チケットシステムにおいて，電子チケットのチケットデータには，利用者の顔画像データに対してエフェクト処理を施した画像が含まれる。クライアント端末の表示手段１４は，エフェクト処理が施された画像を含む電子チケットを画像データとして表示する。
【００５４】
クライアント端末１の位置情報取得手段１５は，自己の現在位置の情報を取得するための機能を持つ。位置情報取得手段１５により取得された現在位置情報は，送信手段１２を介して管理サーバ２へと送信される。現在位置情報の取得及び送信処理は，利用者によるアクション（例えば操作部の操作）に基づいて行われるものであってもよいし，定期的に自動で行われるものであってもよい。
【００５５】
続いて，図２に示されるように，管理サーバ２は，管理制御手段２０と，電子チケットデータベース２１と，エフェクト種類データベース２２と，受信手段２３と，エフェクト処理手段２４と，チケット生成手段２５と，送信手段２６と，ユーザ情報データベース２７と，を有する。
管理制御手段２０は，これらの各要素２１〜２６と相互に接続され各要素を制御するための機能を持つ。
【００５６】
電子チケットデータベース２１は，種々の電子チケットが記憶されて管理されている。本願明細書において「電子チケット」とは，コンサート会場等へ入場するのに必要とされるチケットをクライアント端末１の表示手段１４に表示させるために必要な情報の集合体を意味する。図３には，本発明において利用可能な電子チケットのデータ構造の例が概念的に示されている。例えば，図３に示されるように，電子チケットには，各電子チケットに割り振られた識別番号（Ｎｏ）のデータや，電子チケットを画面上に表示するための本体画像のデータ，電子チケットの有効日時に関するデータ，電子チケットを利用できる地域（領域）に関する利用可能位置のデータ，及び電子チケットが利用済となる地域（領域）に関する利用済位置のデータが含まれている。また，電子チケットには，その他のチケット情報（イベント名，アーティスト名，開催日時，曜日，会場，座席，チケットの価格，及びチケットの販売枚数等）が含まれることとしてもよい。上記のような各種データを関連付けて記憶することにより構築される。
【００５７】
より詳しく説明すると，電子チケットの本体画像は，既存の印刷物のチケット電子データ化されたものであって，本体画像には，イベント名，アーティスト名や，開催日時，会場の場所等のチケット情報や，その他に他のチケットと視覚的に区別し易くするためのコンテンツを掲載可能である。本体画像に含まれるコンテンツは，静止画像に限られず，動画像であってもよいし，音声と連動するものであってもよい例えば，映画であれば予告編の動画ストリーム情報を本体画像に付与してもすることができる。
【００５８】
また，各電子チケットについて利用可能位置を設定しておくことにより，利用者は，設定された利用可能位置に到着しないと，電子チケットを受け取れないようになる。各電子チケットの利用可能位置は，例えば会場への入り口付近に設定すればよい。また，各電子チケットに利用済位置を設定しておくことにより，電子チケットが利用済みとなったことを把握し，利用者による再入場を防止できる。このため，各電子チケットの利用済位置は，例えば会場の内部や，会場の出口付近に設定すればよい。
【００５９】
エフェクト種類データベース２２は，画像データに対して施す複数のエフェクト処理を，所定間隔の時刻毎に対応付けて記憶している。すなわち，エフェクト種類データベース２２では，複数のエフェクト処理に関する情報（例えばエフェクトに用いられる画像や，エフェクト処理を実行するためのプログラム）が，時刻の進行に応じて異なるようにタイムテーブルに記憶されている。例えば，図４には，エフェクト種類データベース２２を構築するデータ構造の例が概念的に示されている。図４に示されるように，ある電子チケット（No.20120001）については，１０分毎に異なったエフェクト処理（effect1301〜effect 1406）が記憶されている。このため，画像データに対して施されるエフェクト処理は，１０分間隔で更新されることとなる。エフェクト処理が更新される時間的間隔は，５分〜６０分間隔程度であってもよい。また，エフェクト処理が更新される時間的間隔は，一定間隔である必要はなく，不定期であってもよい。さらに，エフェクト処理は，少なくとも，ある時間帯から次の時間帯に遷移したときに，異なったエフェクト処理に変更されればよく，同じエフェクト処理が異なった時間帯において何度か使用されることとしてもよい。ただし，電子チケットの偽造を防止するために，エフェクト処理は，５〜１５分程度の間隔で変更され，すべての時間帯において異なった処理が行われるように，タイムテーブルに記憶されていることが好ましい。なお，タイムテーブルは，２４時間分作成する必要はなく，会場への入場が開始されてから終了するまでの数時間程度のものとすれば足りる。
【００６０】
また，エフェクト種類データベース２２に記憶されるエフェクト処理の種類は，特に限定されるものではなく，公知のものを適宜採用できる。エフェクト処理としては，例えば，利用者の顔画像の一部に他の画像（帽子や眼鏡などの装飾，動物の角や耳，又はキャラクタ等の画像）を付与する処理や，顔画像を解析して利用者の目，鼻，口，輪郭，又は髪型等を編集する処理，顔画像を点描画風，色鉛筆画風，刺繍画風，油絵風，ポスター画風，ちぎり画風，又は水彩画風等に加工する処理，顔画像に含まれる背景を変更する処理，顔画像の一部にイベント名等の文字を付与する処理，の１つ又は複数の処理を行うこととすればよい。ただし，本発明のシステムでは，エフェクト処理後の顔画像を用いて目視によって本人認証を行うため，エフェクト処理の種類は，顔画像を解析して目，鼻，口以外の部分に，他の画像等を付与したり編集を施したりするものであることが好ましい。
【００６１】
具体的には，電子チケットの偽造を防止するという観点から，フォトショップ（登録商標）等の公知の写真編集ソフトによって簡単に真似できないようなエフェクト処理とすると良い。例えば，エフェクト処理手段２４は，利用者の写真の上に，コンサートの名称のロゴ等の他の画像を重ね合わせる。このとき，エフェクト処理手段２４は，利用者の写真を解析して，利用者の顔や身体の輪郭を把握し，写真における利用者の顔の身体の位置を特定する。そして，上記ロゴ等の画像が，利用者の顔や身体と重なる接点を解析し，このロゴ等が利用者の顔や身体と重なる部分について，そのロゴを歪ませたり，半透明にして利用者の顔が透けて見えるようにエフェクト処理を行う。このようなエフェクト処理を行うためのプログラムが，エフェクト種類データベース２２に記憶されていることが好ましい。
【００６２】
また，図４に示されるように，エフェクト種類データベース２２のタイムテーブルには，時間帯に応じして異なるエフェクト処理（通常）のそれぞれについて，サンプル画像（sample1301.jpg〜sample1406.jpg）が対応付けて記憶されていてもよい。サンプル画像とは，対応するエフェクト処理が施された顔画像のサンプルであってもよいし，対応するエフェクト処理で用いられる他の画像や，背景，文字等のサンプルであってもよい。このようなサンプル画像は，認証側端末３に送信されて，認証表示手段３２に表示される。
【００６３】
また，図４に示されるように，エフェクト種類データベース２２のタイムテーブルには，電子チケットが利用済みとなった場合に施されるエフェクト処理が記憶されている。つまり，図４には，通常用のエフェクト処理と利用済用のエフェクト処理がそれぞれ記憶されており，これら通常用のエフェクト処理と利用済用のエフェクト処理は，ある時間帯において異なる種類とされている。このようにすることで，入場時に必要な通常のエフェクト処理と，電子チケットが利用済となった場合のエフェクト処理とを明確に区別することができる。このように，エフェクト種類データベース２２に，利用済用のエフェクト処理を記憶しておくことで，利用者の再入場防止に役立つ。また，図４に示されるように，利用済用のエフェクト処理は，時間帯に応じて異なるようにタイムテーブルに記憶されていても良い。また，通常用のエフェクト処理を変更する時間的間隔と，利用済用のエフェクト処理を変更する時間的間隔は，異なっていてもよいし，同じであってもよい。
【００６４】
管理サーバ２の受信手段２３は，クライアント端末１の送信手段１２により送信された種々の情報を受信するための機能を持つ。上述したように，クライアント端末１の送信手段１２からは，撮影手段１１により取得された画像データや，位置情報取得手段１５により取得されたクライアント端末１の現在位置情報，クライアント端末１に入力されたチケット購入情報（チケットの識別情報，及び決済カード番号等），クライアント端末１を所有するユーザ情報，クライアント端末１の個体識別情報，管理サーバ２に対するチケット発行要求等が送信されるため，管理サーバ２の受信手段２３は，これらの情報を適宜受信できる。管理サーバ２の受信手段２３により受信した，利用者の顔画像データや，チケット購入情報，ユーザ情報，及び個体識別情報等は，後述するユーザ情報データベース２７に記憶して管理される。
また，管理サーバ２の受信手段２３は，認証側端末３の送信手段３３により送信された種々の情報を受信することもできる。後述するように，認証側端末３の送信手段３３からは，エフェクト用画像が送信されるため，管理サーバ２の受信手段２３はこのエフェクト用画像を受信する。受信したエフェクト用画像は，エフェクト種類データベース２２に記憶される。
【００６５】
管理サーバ２のエフェクト処理手段２４は，管理制御手段２０からの処理要求に応じて，ユーザ情報データベース２７に記憶されている利用者の顔画像データを読み出すと共に，エフェクト種類データベース２２からエフェクト処理に関する情報（例えばプログラム等）を読み出して，顔画像データに対してエフェクト処理を施す機能を持つ。特に，エフェクト処理手段２４は，エフェクト種類データベース２２のタイムテーブルを参照し，管理制御手段２０からの処理要求の合った時刻に応じたエフェクト処理の情報を読み出して，これを実行する。例えば，エフェクト処理手段２４は，エフェクト種類データベース２２から読みだしたプログラムに従って，顔画像を解析し，利用者の目，鼻，口等の部位の場所を認定し，それらの部位以外の部分に，エフェクト処理を施すような処理を実行する。また，エフェクト処理手段２４は，後述する認証側端末３から送信されたエフェクト用画像データを用いて，利用者の顔画像データに，エフェクト処理を施すこともできる。
【００６６】
管理サーバ２のチケット生成手段２５は，管理制御部２０からの制御に従って，電子チケットデータベース２１から電子チケットに関する情報（例えば電子チケットの本体画像等）を読み出すと共に，エフェクト処理手段２４によりエフェクト処理が施された顔画像データを用いて，チケットデータを生成する機能を持つ。すなわち，チケット生成手段２５は，本体画像に，エフェクト後の顔画像データを埋め込んで，電子チケットの画像データを生成することができる。
【００６７】
管理サーバ２の送信手段２６，チケット生成手段２５により生成されたチケットデータを，クライアント端末２に送信する機能を持つ。その他にも，管理サーバ２の送信手段２６は，クライアント端末２に対して，チケットの販売情報（イベント名，アーティスト名，開催日時，会場，座席，及び価格等）等を送信することもできる。
また，管理サーバ２の送信手段２６は，認証側端末３に対しても，種々の情報を送信できる。例えば，管理サーバ２の送信手段２６は，エフェクト処理データベース２２に記憶されているエフェクト処理のサンプル画像を，認証側端末３に送信できる。
【００６８】
管理サーバ２のユーザ情報データベース２７は，本発明の電子チケットシステムの利用者のユーザ情報を，その利用者が保有するクライアント端末１の識別情報（個体識別番号）と関連付けて記憶している。ユーザ情報の例は，ユーザ識別番号，ユーザの顔画像，氏名，性別，生年月日，年齢，住所，職業，メールアドレス，電話番号，趣味，アカウント名，及びパスワードである。また，ユーザ情報データベース２７には，ユーザ情報として，利用者が購入した電子チケットの購入情報（例えば電子チケットの識別番号）や，利用済とされた電子チケット履歴（利用履歴）等が，各利用者の個人情報とともに記憶されている。ユーザ情報データベース２７は，各利用者による電子チケットの購入状況や，利用状況に伴って，随時更新される。
【００６９】
続いて，図２に示されるように，認証側端末３は，認証制御手段３０と，認証表示手段３１と，エフェクト用撮影手段３２と，送信手段３３と，受信手段３４と，を有する。
認証制御手段３０は，これらの各要素３１〜３４と相互に接続され各要素を制御するための機能を持つ。
【００７０】
認証表示手段３１は，管理サーバ２のエフェクト種類データベース２２に所定間隔の時刻毎に対応付けて記憶されている複数のエフェクト処理に関する画像（サンプル画像）を表示するための機能を持つ。認証側端末３は，受信手段３４を介して，エフェクト処理に関するサンプル画像を，管理サーバ２からダウンロードして認証表示手段３１に表示するものであってもよいし，予めローカルのメモリ等に格納されているサンプル画像を認証表示手段３１に表示するものであってもよい。すなわち，コンサート会場等の会場に配備された係員が，認証表示手段３１に表示されたサンプル画像を視認すれば，その時刻において，どのようなエフェクト処理が利用者の顔画像に対して施されているかを確認できるようにすればよい。
【００７１】
エフェクト用撮影手段３２は，エフェクト処理に用いられるエフェクト用画像データを取得するための機能を持つ。エフェクト用の画像としては，例えばコンサートの当日の会場の風景や看板等を撮影したもの用いればよい。
【００７２】
認証側端末３の送信手段３３は，エフェクト用撮影手段３１により取得したエフェクト用画像データを管理サーバ２へ送信するための機能を持つ。このようにして，エフェクト用撮影手段３２により撮影されたエフェクト用画像データは，送信手段３３を介して，管理サーバ２へと送信され，エフェクト種類データベース２２に記憶される。そして，エフェクト種類データベース２２に記憶されたエフェクト用画像データは，エフェクト処理手段２４によって，利用者の顔画像データに対して施すエフェクト処理の一部として用いられる。例えば，認証側端末３において撮影されたエフェクト用画像データは，利用者の顔画像の背景画像として用いることができる。
【００７３】
認証側端末３の受信手段３４は，管理サーバ２から送信された情報を受信するための機能を持つ。例えば，認証側端末３の受信手段３４は，管理サーバ２のエフェクト種類データベース２２に所定間隔の時刻毎に対応付けて記憶されている複数のエフェクト処理に関する画像（サンプル画像）を受信することができる。受信されたサンプル画像等は，認証側端末３のメモリ等に格納すればよい。
【００７４】
（４．電子チケットシステムの処理フロー）
続いて，図５を参照して，上記した機能構成を持つ電子チケットシステム１００における，電子チケット配信処理のフローについて説明する。
まず，電子チケットシステム１００を利用した電子チケットの販売処理について説明する。図５において，電子チケットの購入処理は，ステップＳ１〜ステップＳ６に示されている。電子チケットの購入処理は，コンサート等のイベントに先立って行われるものであってもよいし，イベントの当日に行われるものであってもよい。
【００７５】
図５に示されるように，電子チケットの販売処理においては，まず，クライアント端末１に，利用者が所望するチケットの購入情報（チケットの識別情報及び決済カード番号等）が入力される（ステップＳ１）。入力された購入情報は，クライアント端末１のメモリに一時的に記憶される。
【００７６】
次に，クライアント端末１の撮影手段１１により，利用者の顔画像データが取得される（ステップＳ２）。取得された顔画像データは，クライアント端末１のメモリ等に記憶される。なお，顔画像を撮影する工程は，チケットの購入情報を入力する工程の前に行われるものであってもよい。また，顔画像を撮影する工程は，予め撮影されてクライアント端末１に記憶されている顔画像データを選択する処理と置き換えることもできる。
【００７７】
次に，クライアント端末１の端末制御手段１０は，メモリ等に記憶されているチケットの購入情報や顔画像データを読み出すと共に，クライアント端末１の個体識別情報を読み出して，クライアント端末１の送信手段１２へと送出する。そして，端末制御手段１０は，送信手段１６を介して，チケットの購入情報や，顔画像データ，個体識別情報を，管理サーバ２へと送信する（ステップＳ３）。
【００７８】
次に，管理サーバ２の管理制御手段２０は，管理サーバの受信手段２３を介して，クライアント端末１から送信された各種情報を受信する（ステップＳ３）。
【００７９】
その後，管理サーバ２の管理制御手段２０は，受信したチケットの購入情報や，顔画像データ，個体識別情報等の情報を，ユーザ情報データベース２７に記憶する（ステップＳ４）。これにより，ユーザ情報データベース２７が更新される。
【００８０】
このようにして，電子チケットの購入処理が完了する（ステップＳ６）。なお，上記電子チケットの購入処理は，本発明の電子チケットシステム特有の処理を中心に説明を行ったものであり，上記した処理の他，公知の電子チケットシステムにおいて行われているチケットの購入処理を行えばよい。例えば，ユーザ情報データベース２７が更新され，利用者による電子チケットの購入が確認された段階で，管理サーバ２からクライアント端末１に対し，費用の領収事項が記載されたメッセージ等を送信すればよい。
【００８１】
続いて，電子チケットシステム１００を利用した電子チケットの配信処理について説明する。図５において，電子チケットの配信処理は，ステップＳ７〜ステップＳ２３によって示されている。本発明において，電子チケットの配信処理は，利用者がコンサート等の会場に入場する直前に行われる。すなわち，利用者は，クライアント端末１に電子チケットを受領してから，その電子チケットに施されたエフェクト処理が有効であると判断されている期間内に，会場への入場手続を済ませる必要がある。以下，詳しく説明する。
【００８２】
電子チケットの配信処理において，まず，クライアント端末１の端末制御手段１０は，チケット発行を要求する信号を生成する（ステップＳ７）。このチケット発行要求信号には，クライアント端末１の識別情報，及び発行を要求する電子チケットの識別情報が含まれる。端末制御手段１０は，メモリ等に格納されているアプリケーションプログラムが起動した際にチケット発行要求信号を生成してもよいし，アプリケーションプログラムに従って一定時間ごとに自動的にチケット発行要求信号を生成してもよいし，利用者による操作に従ってチケット発行要求信号を生成してもよい。また，例えば，利用者が，本システムを利用するためのユーザＩＤやパスワードを，クライアント端末１に入力してログインしたことを契機として，端末制御手段１０は，チケット発行を要求する信号を生成することとしてもよい。
【００８３】
次に，チケット発行要求信号が生成されると，端末制御手段１０は位置情報取得手段１５に対し指令を送出し，位置情報取得手段１５は，クライアント端末１の現在位置に関する情報を取得する（ステップＳ８）。位置情報取得手段１５により取得された現在位置情報は，一時的にメモリに記憶することもできる。
【００８４】
次に，クライアント端末１の端末制御手段１０は，生成したチケット発行要求信号と共に，現在位置情報をクライアント端末１の送信手段１６へと送出する。そして，端末制御手段１０は，送信手段１６を介して，チケット発行要求信号及び現在位置情報を，管理サーバ２へと送信する（ステップＳ９）。
【００８５】
次に，管理サーバ２の管理制御手段２０は，管理サーバの受信手段２３を介して，クライアント端末１から送信されたチケット発行要求信号や現在位置情報を受信する（ステップＳ１０）。受信した情報は，管理サーバ２のメモリ等に一時的に記憶してもよい。
【００８６】
次に，管理サーバ２の管理制御手段２０は，受信したチケット発行要求信号に含まれるクライアント端末１の識別情報，及び発行を要求する電子チケットの識別情報を解析する。そして，管理制御手段２０は，ユーザ情報データベース２７を参照し，そのチケット発行要求を行ったクライアント端末１が，すでに電子チケットを使用済みであるか否かを判断する（ステップＳ１１）。すなわち，ユーザ情報データベース２７には，電子チケットの利用履歴が記録されている。このため，電子チケットの利用履歴を参照すれば，管理制御手段２０は，チケット発行要求を行ったクライアント端末１がすでに電子チケットを使用済みであるか否かを判断できる。
なお，クライアント端末１が電子チケットを利用した際に，ユーザ情報データベース２７の利用履歴を更新する処理は，後述するステップＳ１８において行われる。
【００８７】
次に，ステップＳ１１において，発行が要求された電子チケットが利用済ではないと判断した場合に，管理制御手段２０は，クライアント端末１から受信した現在位置情報を解析し，クライアント端末１の現在位置が，その電子チケットの利用可能位置に含まれるか否かを判断する（ステップＳ１２）。すなわち，図３に示されるように，電子チケットデータベース２１には，電子チケットの識別情報と共に，電子チケットの利用可能位置に関する情報が記憶されている。このため，電子チケットデータベース２１を参照すれば，管理制御手段２０は，クライアント端末１の現在位置が，電子チケットの利用可能位置に含まれるか否かを判断できる。
【００８８】
次に，ステップＳ１２において，クライアント端末１の現在位置が電子チケットの利用可能位置に含まれると判断した場合に，管理制御手段２０は，現時点における時刻を判定する（ステップＳ１３）。すなわち，管理制御手段２０は，クライアント端末１の現在位置を確認した時点における時刻を現時点と判定することが好ましい。ただし，管理制御手段２０は，例えばクライアント端末１によりチケット発行要求信号が生成された時点における時刻を現時点と判定することもできる。管理制御手段２０は，チケット発行要求信号が生成されてから，ステップＳ１１において時刻を判定するまでの処理の間のいずれかのタイミングの時刻を，現時点と認定すればよい。管理制御手段２０は，現時点として判定した時刻とともに，エフェクト処理の処理要求を，エフェクト処理手段２４に伝達する。例えばエフェクト処理の処理要求の信号には，チケット発行要求を行ったクライアント端末１の識別信号等が含まれる。
【００８９】
次に，エフェクト処理手段２４は，管理制御手段２０の制御に従って，管理制御手段２０からの処理要求にある時刻に応じたエフェクト処理を，エフェクト種類データベース２２から読み出すと共に，ユーザ情報データベース２７からチケット発行要求を行った利用者の顔画像データを読み出す。そして，エフェクト処理手段２４は，読み出したエフェクト処理を，利用者の顔画像データに施す（ステップＳ１４）。すなわち，図４に示されるように，エフェクト種類データベース２２にはタイムテーブルが含まれており，このタイムテーブルを参照すれば，エフェクト処理手段２４は，管理制御手段２０からの処理要求にある時刻に応じたエフェクト処理を読み出すことができる。また，エフェクト処理手段２４は，エフェクト処理を行う際に，認証側端末３により取得されたエフェクト用画像データをエフェクト種類データベース２２から読み出して，エフェクト処理の一部として用いることとしてもよい。例えば，認証側端末３において撮影されたエフェクト用画像データは，利用者の顔画像の背景画像として用いることができる。エフェクト処理が施されたエフェクト後の顔画像データは，管理サーバ２のメモリ等に一時的に記憶される。
【００９０】
次に，チケット生成手段２５は，電子チケットデータベース２１から電子チケットの本体画像を読み出し，エフェクト処理手段２４によりエフェクト処理が施された顔画像データを，本体画像の一部に埋め込み，チケットデータを生成する（ステップＳ１５）。チケットデータは，電子チケットを画像として表示するためのデータである。電子チケットの本体画像には，イベント名，アーティスト名，開催日時等が掲載されているため，この本体画像に顔画像（エフェクト後）を付与することで，顔写真付きのチケットのようになる。チケット生成手段２５により生成されたチケットデータを可視化したチケット画像の例は，図６に示されている。図６に示されるように，本発明では，エフェクト処理後の顔画像が，チケットの一部に組み込まれる。チケット生成手段２５により生成されたチケットデータは，管理サーバ２のメモリ等に一時的に記憶される。
【００９１】
次に，管理サーバ２の管理制御手段２０は，メモリ等に記憶されているチケットデータと読み出して，管理サーバ２の送信手段２６へと送出する。そして，管理制御手段２０は，送信手段２６を介して，チケットデータをクライアント端末１へと送信する（ステップＳ１６）。
【００９２】
次に，クライアント端末１の端末制御手段１０は，クライアント端末１の受信手段１３を介して，管理サーバ２から送信されたチケットデータを受信する（ステップＳ２１）。受信したチケットデータは，クライアント端末１のメモリ等に一時的に記憶される。
【００９３】
次に，クライアント端末１の端末制御手段１０は，受信したチケットデータを，表示手段１４へと送出する。表示手段１４は，チケットデータに基づいて，電子チケットを画像として表示する（ステップＳ１４）。この電子チケットには，ある時間帯にのみ用いられるエフェクト処理が施された顔画像が付与されている。電子チケットの例は，図６に示されている。利用者は，クライアント端末１の表示手段１４に，エフェクト後の顔画像が付与された電子チケットを表示させて，コンサートの会場の入口付近に立つ係員に提示する。このとき，係員が視認可能な範囲に配置された認証側端末３には，管理サーバ２のエフェクト種類データベース２２からダウンドーロされたサンプル画像が表示されている。このサンプル画像は，現在の時間帯に応じた，真正なエフェクト処理に関する画像である。従って，係員は，目視によって，クライアント端末１に表示されている顔画像と利用者の顔を照合して，本人認証を行うと共に，クライアント端末１に表示されている顔画像のエフェクトと認証側端末３に表示されているサンプル画像のエフェクトを照合して，電子チケットの真偽を確認することができる。これにより，電子チケットの配信処理が完了する（ステップＳ２３）。
【００９４】
続いて，ステップＳ１１において，管理制御手段２０が，発行が要求された電子チケットが利用済であると判断した場合の処理について説明する。このような場合，管理制御手段２０は，現時点における時刻を判定する処理を行う（ステップＳ１９）。このとき，ステプＳ１３と同様に，管理制御手段２０は，チケット発行要求信号が生成されてから，ステップＳ１９において時刻を判定するまでの処理の間のいずれかのタイミングの時刻を，現時点と認定すればよい。管理制御手段２０は，現時点として判定した時刻とともに，エフェクト処理の処理要求を，エフェクト処理手段２４に伝達する。このとき，管理制御手段２０は，エフェクト処理手段２４に対し，電子チケットが利用済の場合のエフェクト処理を行うように，処理要求を行う。
【００９５】
次に，エフェクト処理手段２４は，管理制御手段２０の制御に従い，管理制御手段２０からの処理要求にある時刻に応じて，利用済用のエフェクト処理を，エフェクト種類データベース２２から読み出す。また，エフェクト処理手段２４は，ユーザ情報データベース２７からチケット発行要求を行った利用者の顔画像データも読み出す。そして，エフェクト処理手段２４は，読み出した利用済用のエフェクト処理を，利用者の顔画像データに施す（ステップＳ２０）。すなわち，図４に示さるように，電子チケットが利用済であった場合のエフェクト処理は，通常のエフェクト処理と異なるものとして，エフェクト種類データベース２２に記憶されている。このため，エフェクト処理手段２４は，通常のエフェクト処理とは異なる利用済用のエフェクト処理を，利用者の顔画像データに対し施すことができる。エフェクト後の顔画像データは，管理サーバ２のメモリ等に一時的に記憶される。
【００９６】
その後，管理制御手段２０は，利用済用のエフェクト処理を施した顔画像データをチケット生成手段３５に送出する。その後のチケットデータ生成以降の処理は，上述したステップＳ１５〜ステップＳ２３と同様である。ただし，イベントの状況に応じて，コンサート会場等への再入場が禁止されている場合，利用者が提示した電子チケットに含まれる顔画像に，利用済用のエフェクト処理が施されている場合，係員は，その利用者は再入場者であるとみなし，会場への再入場を行わないよう呼びかけることができる。
【００９７】
続いて，ステップＳ１２において，管理制御手段２０が，クライアント端末１の現在位置は電子チケットの利用可能位置に含まれないと判断した場合の処理について説明する。この場合，管理制御手段２０は，クライアント端末１から受信した現在位置情報を解析し，クライアント端末１の現在位置が，その電子チケットの利用済位置に含まれるか否かを判断する（ステップＳ１１７）。すなわち，図３に示されるように，電子チケットデータベース２１には，電子チケットの識別情報と共に，電子チケットの利用済位置に関する情報が記憶されている。このため，電子チケットデータベース２１を参照すれば，管理制御手段２０は，クライアント端末１の現在位置が，電子チケットの利用済位置に含まれるか否かを判断できる。
【００９８】
次に，ステップＳ１７において，クライアント端末１の現在位置が電子チケットの利用済位置に含まれると判断した場合に，管理制御手段２０は，チケット発行要求を行ったクライアント端末１の利用者が，電子チケットを利用し終えたと判断し，その旨を，ユーザ情報データベース２７に記録する（ステップＳ１８）。すなわち，ユーザ情報データベース２７に記憶されている，電子チケットの利用履歴を更新する。このときに更新された電子チケットの利用履歴は，上述したステップＳ１１において，管理制御手段２０が，チケット発行要求を行ったクライアント端末１がすでに電子チケットを使用済みであるか否かを判断する際に参照される。
【００９９】
他方，ステップＳ１７において，クライアント端末１の現在位置が電子チケットの利用済位置に含まれないと判断した場合に，管理制御手段２０は，電子チケットの配信処理を終了させる（ステップＳ２１）。このような場合，クライアント端末１の現在位置は，電子チケットの利用可能位置にも利用済位置にもないことがわかる。従って，管理制御手段２０は，クライアント端末１の現在位置が，電子チケットを利用できない位置にあると判断し，電子チケットの誤用防止の為，配信処理を終了させる。このとき，管理サーバ２の管理制御手段２０は，クライアント端末１に対し，電子チケットを出来ない旨のメッセージを送信することとしてもよい。
【０１００】
ステップＳ１７において，クライアント端末１の現在位置が電子チケットの利用済位置に含まれると判断した場合に，続くステップＳ１８〜ステップＳ２３においては，上述したものと同様の処理を行うことができる。すなわち，このような場合に，クライアント端末１の表示手段１４に，電子チケットが利用済の場合のエフェクト処理を施した顔画像が含まれる電子チケットが表示される。
【０１０１】
以上，本発明に係る電子チケットシステムの一例を説明したが，上記した電子チケットシステムの構成や電子チケットの利用処理は，本発明の一実施形態を示すものであり，本発明はこれに限定されるものではない。
【産業上の利用可能性】
【０１０２】
本発明は，電子的に発行されインターネット等を介して流通する電子チケットを，利用者が保有するクライアント端末に配信する電子チケットシステムに関する。このため，本発明は，情報通信産業やサービス産業において好適に利用し得る。
【符号の説明】
【０１０３】
１…クライアント端末    ２…管理サーバ    ３…認証側端末
１０…端末制御手段    １１…撮影手段    １２…クライアントの送信手段    １３…クライアントの受信手段    １４…表示手段    １５…位置情報取得手段
２０…管理制御手段    ２１…電子チケットデータベース    ２２…エフェクト種類データベース    ２３…サーバの受信手段    ２４…エフェクト処理手段    ２５…チケット生成手段    ２６…サーバの送信手段    ２７…ユーザ情報データベース
３０…認証制御手段    ３１…認証側表示手段    ３２…エフェクト用撮影手段    ３３…認証側端末の送信手段    ３４…認証側端末の受信手段
５０…ＣＰＵ    ５１…ＣＤＭＡ受信部    ５２…無線通信部    ５３…ＧＰＳ受信部    ５４…カメラ    ５５…ディスプレイ    ５６…操作部    ５７…スピーカ    ５８…マイクロフォン    ５９…メモリ
６０…ＣＰＵ    ６１…ネットワーク通信部    ６２…位置情報計算部    ６３…画像処理部    ６３…メモリ
７０…ＣＰＵ    ７１…ネットワーク通信部    ７２…モニタ    ７３…カメラ    ７４…メモリ
１００…電子チケットシステム
【図１】
2014153919.tif 000003
【図２】
2014153919.tif 000004
【図３】
2014153919.tif 000005
【図４】
2014153919.tif 000006
【図５】
2014153919.tif 000007
【図６】
2014153919.tif 000008